(57)【要約】【課題】照明灯を照明ボックスに容易に取り付けることができ、高い汎用性を得ることができるエスカレータの照明装置の提供。【解決手段】無端状に連結されて循環移動する複数の踏段と、これらの複数の踏段の側方に設けられた欄干２とを備えたエスカレータ１に適用され、ＬＥＤ６と、踏段に対して欄干２を挟んで反対側に下方へ開放する開口が形成され、ＬＥＤ６を収容する照明ボックス７と、ＬＥＤ６を照明ボックス７の開口から内側に取り付ける取付部１０とを備えたエスカレータ１の照明装置において、取付部１０は、照明ボックス７に対してＬＥＤ６を固定する固定ベース１０Ａと、この固定ベース１０Ａに回動可能に設けられた鏡面部１０Ｂとを有し、取付部１０による取り付けが行われる際に、固定ベース１０Ａが鏡面部１０Ｂに反射して照明ボックス７の外側から見えるように鏡面部１０Ｂを回動させた。【選択図】図２
2014237511.tif 000002
【特許請求の範囲】
【請求項１】
無端状に連結されて循環移動する複数の踏段と、これらの複数の踏段の側方に設けられた欄干とを備えたエスカレータに適用され、
照明灯と、前記踏段に対して前記欄干を挟んで反対側に下方へ開放する開口が形成され、前記照明灯を収容する照明ボックスと、前記照明灯を前記照明ボックスの前記開口から内側に取り付ける取付部とを備えたエスカレータの照明装置において、
前記照明灯はＬＥＤから成り、
前記取付部は、
前記照明ボックスに対して前記ＬＥＤを固定する固定ベースと、
この固定ベースに回動可能に設けられた鏡面部とを有し、
前記取付部による取り付けが行われる際に、前記固定ベースが前記鏡面部に反射して前記照明ボックスの外側から見えるように前記鏡面部を回動させたことを特徴とするエスカレータの照明装置。
【請求項２】
請求項１に記載のエスカレータの照明装置において、
前記固定ベースは、
前記ＬＥＤを保持する保持プレートと、
前記照明ボックスの前記開口に対して奥側の面に設けられ、前記鏡面部及び前記保持プレートを支持する支持プレートとを含み、
前記取付部による取り付けが行われた後に、前記ＬＥＤから出射された光を前記照明ボックスの外側へ反射させるように前記鏡面部を回動させたことを特徴とするエスカレータの照明装置。
【請求項３】
請求項２に記載のエスカレータの照明装置において、
前記固定ベースは、前記支持プレートと前記保持プレートとの間に設けられ、前記支持プレートに対して前記保持プレートを回動させる回動部を含むことを特徴とするエスカレータの照明装置。
【請求項４】
請求項２又は３に記載のエスカレータの照明装置において、
前記保持プレートの面のうち前記ＬＥＤを保持する面と反対側の面には、前記ＬＥＤに電力を供給する配線ケーブルが布設されたことを特徴とするエスカレータの照明装置。
【発明の詳細な説明】
【技術分野】
【０００１】
本発明は、エスカレータを照らすエスカレータの照明装置に関する。
【背景技術】
【０００２】
図７は従来技術のエスカレータの照明装置の構成を説明する図である。
【０００３】
一般的に、エスカレータは、無端状に連結され、循環移動する複数の踏段と、図７に示すようにこれらの複数の踏段の側方に立設された欄干パネル５０と、この欄干パネル５０よりも高い位置に配置され、踏段の経路に沿って設けられたハンドレールガイド５１と、このハンドレールガイド５１に案内され、踏段に同期して走行するハンドレール５２とを備えている。
【０００４】
そして、エスカレータを利用する利用者は、踏段上に乗ってハンドレール５２を掴むことにより、建物の各階床間を移動することができる。このように構成されるエスカレータには、従来より利用者の視認性を確保するために踏段や欄干パネル５０等を照らす照明装置が設けられている。
【０００５】
具体的には、従来技術のエスカレータの照明装置は、例えば照明灯としての蛍光管５６と、踏段に対して欄干パネル５０を挟んで反対側に下方へ開放する開口が形成され、蛍光管５６を収容する照明ボックス５７とを備えている。この照明ボックス５７は、ハンドレールガイド５１と欄干パネル５０との間に介装され、このハンドレールガイド５１の内側には蛍光管５６に電力を供給するための配線ケーブル６０を収容する収容部５１ａが形成されている。また、従来技術のエスカレータの照明装置は、蛍光管５６を照明ボックス５７の開口から内側に取り付ける取付部５８と、この取付部５８によって蛍光管５６が取り付けられた状態で照明ボックス５７の開口に蓋をし、蛍光管５６から出射された光を透過させる透光板５９とを備えている。
【０００６】
この透光板５９は、蛍光管５６の軸線に対して垂直方向に切断する面（横断面）がＵ字状に湾曲した湾曲部５９Ａと、この湾曲部５９Ａの両端が開口外側へ折り返して形成された折り返し部５９Ｂ１，５９Ｂ２とを有している。照明ボックス５７は、開口端部の内側にこれらの折り返し部５９Ｂ１，５９Ｂ２を嵌合する嵌合部５７ａ１，５７ａ２を有し、透光板５９と照明ボックス５７が一体となっており、透光板５９を通過した光が欄干パネル５０を透過して踏段を照らすようになっている。なお、取付部５８は一本の蛍光管５６に対して２つ用意され、蛍光管５６の両端にそれぞれ適用される。
【０００７】
取付部５８は、例えば上方から蛍光管５６を掴むように蛍光管５６を保持するランプソケット５８ａと、このランプソケット５８ａを照明ボックス５７の開口に対して奥側の面に固定するボルト５８ｂとを有しており、ハンドレールガイド５１の収容部５１ａに収容された配線ケーブル６０が照明ボックス５７内に適宜引出されてランプソケット５８ａに接続されている。
【０００８】
ハンドレールガイド５１及び照明ボックス５７には、照明ボックス５７の開口に対して奥側の面から収容部５１ａへボルト５８ｂを挿通する貫通孔５１ｂ，５７ｂがそれぞれ穿設され、ハンドレールガイド５１の貫通孔５１ｂの内周面にはボルト５８ｂの軸部の雄螺子が螺合する雌螺子が形成されている。
【０００９】
近年では、エスカレータの蛍光管５６をＬＥＤに交換する作業が行われており、エスカレータの照明装置として上述のように設置されていた蛍光管５６を撤去し、蛍光管５６が取付けられていた既存穴、すなわちハンドレールガイド５１及び照明ボックス５７の貫通孔５１ｂ，５７ｂを活用してＬＥＤを照明ボックス５７内に設置する方法が一般的に行われている。一方、エスカレータの蛍光管５６をＬＥＤに交換する作業を簡易に行うために、照明ボックス５７の貫通孔５１ｂ，５７ｂを活用せずにＬＥＤを照明ボックス５７内に設置するエスカレータの照明装置が従来技術の１つとして知られている（例えば、特許文献１参照）。
【００１０】
この従来技術のエスカレータの照明装置は、エスカレータの曲線部の曲線に沿って自在に曲げられる曲線部取り付け板と、複数のＬＥＤと複数のＬＥＤが取り付けられたＬＥＤケースとをそれぞれが有する複数のＬＥＤユニットとを備え、複数のＬＥＤユニットは、曲線部取り付け板上に分離されて配置され、相互に角度を持ちながら電気的に連結されるものである。また、従来技術のエスカレータの照明装置は、曲線部取り付け板に配置される複数のＬＥＤユニット相互の間に設けられ、復元力により曲線部の取り付け板を照明ボックス５７に保持する弾性体を備えている。
【先行技術文献】
【特許文献】
【００１１】
【特許文献１】特開２０１１−１１６４９８号公報
【発明の概要】
【発明が解決しようとする課題】
【００１２】
ここで、上述したハンドレールガイド５１及び照明ボックス５７の貫通孔５１ｂ，５７ｂを活用してＬＥＤを照明ボックス５７内に設置する従来技術の方法は、踏段上の作業者がハンドレールガイド５１の上方から手を伸ばして透光板５９を取り外した後、照明ボックス５７の開口から蛍光管５６をＬＥＤに取り替える必要がある。このとき、照明ボックス５７の開口は、踏段に対して欄干パネル５０を挟んで反対側にあり、さらに下方に開放されているので、踏段上の作業者にとってハンドレールガイド５１及び照明ボックス５７の貫通孔５１ｂ，５７ｂの位置を把握することが困難になっている。
【００１３】
そのため、作業者は、ＬＥＤを照明ボックス５７の内側に取り付けるためのボルトやビス等をハンドレールガイド５１及び照明ボックス５７の貫通孔５１ｂ，５７ｂに挿通して螺合する際に、ボルトやビス等を手探りでこれらの貫通孔５１ｂ，５７ｂに挿入するか、あるいは欄干パネル５０から外側に上半身を乗り出して照明ボックス５７の内側を覗き込むような姿勢をとることにより、ボルトやビス等及び貫通孔５１ｂ，５７ｂを目視しながら作業を行わなければならず、作業効率が悪いことが問題になっている。
【００１４】
また、特許文献１に開示された従来技術のエスカレータの照明装置は、ハンドレールガイド５１及び照明ボックス５７の貫通孔５１ｂ，５７ｂを活用しないので、このような問題は生じないが、弾性体の復元力により曲線部取り付け板を照明ボックス５７に保持するようにしているので、照明ボックス５７の下側に弾性体の復元力を受ける部材としての脚部がなければ適用することができず、汎用性が低いことが問題になっている。
【００１５】
本発明は、このような従来技術の実情からなされたもので、その目的は、照明灯を照明ボックスに容易に取り付けることができ、高い汎用性を得ることができるエスカレータの照明装置を提供することにある。
【課題を解決するための手段】
【００１６】
上記の目的を達成するために、本発明のエスカレータの照明装置は、無端状に連結されて循環移動する複数の踏段と、これらの複数の踏段の側方に設けられた欄干とを備えたエスカレータに適用され、照明灯と、前記踏段に対して前記欄干を挟んで反対側に下方へ開放する開口が形成され、前記照明灯を収容する照明ボックスと、前記照明灯を前記照明ボックスの前記開口から内側に取り付ける取付部とを備えたエスカレータの照明装置において、前記照明灯はＬＥＤから成り、前記取付部は、前記照明ボックスに対して前記ＬＥＤを固定する固定ベースと、この固定ベースに回動可能に設けられた鏡面部とを有し、前記取付部による取り付けが行われる際に、前記固定ベースが前記鏡面部に反射して前記照明ボックスの外側から見えるように前記鏡面部を回動させたことを特徴としている。
【発明の効果】
【００１７】
本発明のエスカレータの照明装置によれば、照明灯を照明ボックスに容易に取り付けることができ、高い汎用性を得ることができる。前述した以外の課題、構成及び効果は、以下の実施形態の説明により明らかにされる。
【図面の簡単な説明】
【００１８】
【図１】本発明に係る照明装置の第１実施形態が備えられるエスカレータを示す側面図である。
【図２】本発明に係るエスカレータの第１実施形態の構成を説明する図であり、特に取付部による取り付けが行われる際の状況を説明する図である。
【図３】本発明の第１実施形態に係る取付部の構成を示す図である。
【図４】本発明の第１実施形態に係る取付部による取り付けが行われた後の状況を説明する図である。
【図５】図２に示す透光板の形状が異なる場合に、透光板を通過する光の様子を説明する図である。
【図６】本発明に係るエスカレータの照明装置の第２実施形態の構成を示す図である。
【図７】従来技術のエスカレータの照明装置の構成を説明する図である。
【発明を実施するための形態】
【００１９】
以下、本発明に係るエスカレータの照明装置を実施するための形態を図に基づいて説明する。
【００２０】
［第１実施形態］
本発明に係る照明装置の第１実施形態は、図１に示すように建物の各階床を結ぶエスカレータ１に適用される。このエスカレータ１は、例えば無端状に連結され、循環移動する複数の踏段（図示せず）と、これらの複数の踏段の側方に設けられた欄干２とを備え、この欄干２は、踏段の経路に沿って配置されたスカートガード２ａと、このスカートガード２ａから上方へ延設され、光を透過するガラス製の欄干パネル２ｂとを有している。
【００２１】
また、エスカレータ１は、欄干パネル２ｂよりも高い位置に配置され、踏段の経路に沿って設けられたハンドレールガイド３と、このハンドレールガイド３に案内され、踏段に同期して走行するハンドレール４と、乗場の下方に設けられた機械室（図示せず）に設置され、踏段及びハンドレール４を駆動する駆動装置（図示せず）とを備えている。
【００２２】
本発明に係るエスカレータの照明装置の第１実施形態は、図２に示すように照明灯としてのＬＥＤ６と、踏段に対して欄干２の欄干パネル２ｂを挟んで反対側に下方へ開放する開口が形成され、ＬＥＤ６を収容する照明ボックス７とを備え、この照明ボックス７は、ハンドレールガイド３と欄干パネル２ｂとの間に介装されている。また、本発明の第１実施形態は、ＬＥＤ６を照明ボックス７の開口から内側に取り付ける取付部１０と、この取付部１０によってＬＥＤ６が取り付けられた状態で照明ボックス７の開口に蓋をし、ＬＥＤ６から出射された光を透過させる透光板１１とを備えている。
【００２３】
この透光板１１は、ＬＥＤ６の軸線に対して垂直方向に切断する面（横断面）がＵ字状に湾曲した湾曲部１１Ａと、この湾曲部１１Ａの両端が開口外側へ折り返して形成された折り返し部１１Ｂ１，１１Ｂ２とを有している。照明ボックス７は、開口端部の内側にこれらの折り返し部１１Ｂ１，１１Ｂ２を嵌合する嵌合部７ａ１，７ａ２を有し、透光板１１と照明ボックス７が一体となっている。また、透光板１１は、ＬＥＤ６から発された光を拡散させ、周囲の踏段等を均一に照らすだけでなく、光ムラをなくして見栄えを向上させる機能も有している。
【００２４】
本発明の第１実施形態では、取付部１０は、例えば図３に示すように予め複数用意され、エスカレータ１の全長に渡って配設されるものである。そして、各取付部１０は、ＬＥＤ６から出射される光によって踏段が均一に照らされるようにハンドレールガイド３に沿って配列されている。従って、これらの取付部１０の構成はそれぞれ同様であるので、以下の説明を分かり易くするために各取付部１０のうちエスカレータ１の直線部分に配列される１つの取付部１０について詳細に説明する。
【００２５】
また、本発明の第１実施形態に係るハンドレールガイド３及び照明ボックス７の基本構成は、上述した図７に示す従来技術のエスカレータの照明装置に係るハンドレールガイド５１及び照明ボックス５７の構成と同様であり、これらのハンドレールガイド５１及び照明ボックス５７の貫通孔５１ｂ，５７ｂを活用している。そのため、本発明の第１実施形態に係るハンドレールガイド３及び照明ボックス７には、ハンドレールガイド５１及び照明ボックス５７の貫通孔５１ｂ，５７ｂと同様の貫通孔３ｂ，７ｂがそれぞれ穿設されており、ハンドレールガイド３には、ハンドレールガイド５１の収容部５１ａと同様の収容部３ａが設けられている。
【００２６】
本発明の第１実施形態では、取付部１０は、例えば図２、図３に示すように照明ボックス７に対してＬＥＤ６を固定する固定ベース１０Ａと、この固定ベース１０Ａに回動可能に設けられた鏡面部１０Ｂとを有している。なお、取付部１０は、ハンドレールガイド３に沿う方向に長手状に形成されている。
【００２７】
固定ベース１０Ａは、例えばＬＥＤ６を保持する保持プレート１０Ａ１と、照明ボックス７の開口に対して奥側の面に設けられ、鏡面部１０Ｂ及び保持プレート１０Ａ１を支持する支持プレート１０Ａ２とを含んでおり、この支持プレート１０Ａ２の上面が照明ボックス７の開口に対して奥側の面への当接面となる。そして、保持プレート１０Ａ１及び支持プレート１０Ａ２は、例えば内角が所定の角度αになるまで一枚の平板を折り曲げて形成されている。従って、支持プレート１０Ａ２の上面が照明ボックス７の開口に対して奥側の面に当接した状態では、保持プレート１０Ａ１と照明ボックス７との間に隙間２０が形成される。
【００２８】
また、取付部１０は、固定ベース１０Ａを照明ボックス７の開口に対して奥側の面に固定するボルト１５と、支持プレート１０Ａ２に穿設され、ボルト１５の軸部を挿通する複数の挿通孔とを有し、各挿通孔は、例えば取付部１０の長手方向へ伸びる４つの長孔１０ａから成っている。ＬＥＤ６は、例えばクリップ１６を介して保持プレート１０Ａ１の内側の面に固定されている。
【００２９】
この保持プレート１０Ａ１の面のうちＬＥＤ６を保持する面と反対側の面、すなわち保持プレート１０Ａ１の外側の面には、ＬＥＤ６に電力を供給する配線ケーブル６Ａが布設されている。この配線ケーブル６Ａは、保持プレート１０Ａ１の長手方向の端部又は貫通孔（図示せず）から引き出されて配置されており、取付部１０の長手方向に沿って複数設けられた配線固定部材１７を介して保持プレート１０Ａ１の外側の面に固定されている。また、配線ケーブル６Ａには、他のＬＥＤ６の配線ケーブル６Ａと接続するコネクタ１８が設けられている。なお、ＬＥＤ６の電力の供給源として電源装置（図示せず）が必要となるが、この電源装置は、例えばエスカレータ１の機械室に設置されている。
【００３０】
鏡面部１０Ｂは、例えばＬＥＤ６から出射された光を反射する鏡面が内側に形成された第１の反射プレート１０Ｂ１と、支持プレート１０Ａ２と第１の反射プレート１０Ｂ１とを回動可能に連結する後述の第１の連結部と、ＬＥＤ６から出射された光を反射する鏡面が内側に形成された第２の反射プレート１０Ｂ２と、第１の反射プレート１０Ｂ１と第２の反射プレート１０Ｂ２とを回動可能に連結する後述の第２の連結部とから構成されている。
【００３１】
これらの各反射プレート１０Ｂ１，１０Ｂ２及び各連結部は、保持プレート１０Ａ１が各反射プレート１０Ｂ１，１０Ｂ２に反射して照明ボックス７の外側から見えるように、例えば保持プレート１０Ａ１及び支持プレート１０Ａ２よりも欄干パネル２ｂに近接する側に配置されている。なお、第１の反射プレート１０Ｂ１及び第２の反射プレート１０Ｂ２の鏡面は、例えば各反射プレート１０Ｂ１，１０Ｂ２の内側の面に鏡面状の材料が用いられるか、あるいは鏡面素材のプレートが貼り付けられることにより、鏡として物体の姿を映すと共に、光を反射して照らす機能を有している。
【００３２】
前述の第１の連結部は、例えば支持プレート１０Ａ２に対する第１の反射プレート１０Ｂ１の角度を保持する一対の蝶番１０Ｂ３から成り、これらの一対の蝶番１０Ｂ３は、取付部１０の長手方向の両側にそれぞれ配置されている。同様に、前述の第２の連結部は、例えば第１の反射プレート１０Ｂ１に対する第２の反射プレート１０Ｂ２の角度を保持する一対の蝶番１０Ｂ４から成り、これらの一対の蝶番１０Ｂ４は、取付部１０の長手方向の両側にそれぞれ配置されている。
【００３３】
次に、エスカレータに既設された蛍光管５６（図７参照）を本発明の第１実施形態に係る照明装置を用いてＬＥＤ６に交換する作業について詳細に説明する。
【００３４】
まず、作業者は踏段に乗って蛍光管５６の撤去作業を実施する。具体的には、作業者は、透光板１１を変形して斜めに傾けながら透光板１１の折り返し部１１Ｂ１，１１Ｂ２を照明ボックス７の嵌合部７ａ１，７ａ２から外し、透光板１１を照明ボックス７から抜き取る。次に、作業者は、蛍光管５６をランプソケット５８ａ（図７参照）から取り外した後、このランプソケット５８ａを照明ボックス７の内側に固定するボルト５８（図７参照）をドライバー等の工具で取り外し、ランプソケット５８に接続された配線ケーブル６０（図７参照）を切断する。
【００３５】
この配線ケーブル６０はハンドレールガイド３の収容部３ａに布設されているので、作業者が配線ケーブル６０を下方に引っ張ると、配線ケーブル６０をハンドレールガイド３の収容部３ａから容易に引き抜くことができる。なお、図示されないが、蛍光管５６の放電を安定させる蛍光管用安定器はエスカレータ１のトラスフレーム内に設置されており、蛍光管用安定器に渡る配線の端末処理を行えば、この蛍光管用安定器を撤去しなくても良い。このようにして、蛍光管５６の撤去作業が終了し、作業者は踏段やハンドレール４を取り外すことなく短時間で撤去することができる。
【００３６】
次に、作業者は踏段上でＬＥＤ６の取付作業を実施する。具体的には、作業者は、予めＬＥＤ６をクリップ１６によって保持プレート１０Ａ１の内側の面に固定し、ＬＥＤ６の配線ケーブル６Ａを配線固定部材１７によって保持プレート１０Ａ１の外側の面に固定する。そして、作業者は、図２に示すように取付部１０の支持プレート１０Ａ２の上面を照明ボックス７の開口に対して奥側の面に当接すると共に、支持プレート１０Ａ２の長孔１０ａを貫通孔７ｂの下方の位置に合わせ、この状態でボルト１５の軸部を長孔１０ａ及び蛍光管５６に活用された既存穴である貫通孔７ｂに挿通してハンドレールガイド３の貫通孔３ｂの内周面に形成された雌螺子に螺合させる。
【００３７】
このとき、踏段上の作業者は、欄干パネル２ｂの外側に向けて欄干２から身を乗り出し、照明ボックス７の内側を覗き込むようにして取付部１０による取り付けが行われるが、固定ベース１０Ａが鏡面部１０Ｂに反射して照明ボックス７の外側から見えるように鏡面部１０Ｂを回動させ、鏡面部１０Ｂの第１の反射プレート１０Ｂ１及び第２の反射プレート１０Ｂ２に映し出された長孔１０ａ及び貫通孔７ｂを確認する。
【００３８】
従って、作業者は、長孔１０ａ及び貫通孔７ｂの位置を把握するために、図２に示す頭部１００の位置まで大きく身を乗り出して視線１００ａを向けるように覗き込む必要がなく、頭部１０１の位置まで身を乗り出して視線１０１ａを向けるように覗き込めば良いので、照明ボックス７の内部を鏡面部１０Ｂで目視しながらボルト１５をハンドレールガイド３に締結して取付部１０を固定することができる。
【００３９】
そして、作業者は、このような作業をエスカレータ１の全長に渡って行った後、各ＬＥＤ６及び配線ケーブル６Ａは取付部１０に固定されているので、隣接するＬＥＤ６の配線ケーブル６Ａのコネクタ１８同士を接続すれば、各ＬＥＤ６から光を出射することができる。なお、これらのコネクタ１８は、保持プレート１０Ａ１と照明ボックス７との隙間２０から保持プレート１０Ａ１の上方に押し込まれて収納される。また、ＬＥＤ６の電力の供給源である電源装置は機械室に設置されているので、この電源装置と配線ケーブル６Ａとの接続は、配線ケーブル６Ａの接続先をエスカレータ１のターミナル部（図示せず）からトラスフレーム内に引き込んで機械室内で接続すれば良い。
【００４０】
その後、作業者は、図４に示すように取付部１０の第１の反射プレート１０Ｂ１及び第２の反射プレート１０Ｂ２を回動してＬＥＤ６から出射された光９９ａ，９９ｂの反射角を調整する。そして、作業者は、取り外した透光板１１の折り返し部１１Ｂ１，１１Ｂ２を照明ボックス７の嵌合部７ａ１，７ａ２に嵌合して照明ボックス７の開口に透光板１１で蓋をし、ＬＥＤ６の取付作業を終了する。
【００４１】
このように構成した本発明の第１実施形態によれば、ＬＥＤ６の取付作業を行う際に、作業者が取付部１０における鏡面部１０Ｂの第１の反射プレート１０Ｂ１及び第２の反射プレート１０Ｂ２を回動することにより、照明ボックス７の貫通孔７ｂの下方に位置する支持プレート１０Ａ２の長孔１０ａがこれらの各反射プレート１０Ｂ１，１０Ｂ２に反射して映るので、長孔１０ａ及び貫通孔７ｂの位置を照明ボックス７の外側から確認することができる。そのため、図２に示すように作業者は頭部１００の位置まで大きく身を乗り出して視線１００ａを向けるように覗き込まなくても、頭部１０１の位置まで身を乗り出して視線１０１ａを向けるように覗き込むだけで、ボルト１５をハンドレールガイド３に容易に締結できるので、取付部１０を照明ボックス７の内側に迅速に固定することができ、ＬＥＤ６の取付作業を安全に進めることができる。
【００４２】
また、本発明の第１実施形態は、蛍光管５６が取付けられていた既存穴であるハンドレールガイド３及び照明ボックス７の貫通孔３ｂ，７ｂを有効に活用しているので、ＬＥＤ６用の照明ボックス７が設置されたエスカレータだけでなく、蛍光管５６が取付けられている既設のエスカレータ１にも適用することができる。すなわち、取付部１０を照明ボックス７の内側に固定するために照明ボックス７の形状を変更しなくても良い。このように、ＬＥＤ６を照明ボックス７に容易に取り付けることができ、高い汎用性を得ることができる。
【００４３】
また、本発明の第１実施形態は、取付部１０を照明ボックス７の内側に取り付けた後、作業者が取付部１０Ａにおける鏡面部１０Ｂの第１の反射プレート１０Ｂ１及び第２の反射プレート１０Ｂ２を回動してＬＥＤ６から出射された光９９ａ，９９ｂの反射角を調整することにより、透光板１１及び欄干パネル２ｂを透過した光を踏段に均一に照らすことができ、踏段に乗降する利用者の足元の視認性を高めることができる。
【００４４】
特に、図５に示すようにエスカレータ１毎に透光板１１の形状が異なり、ＬＥＤ６の照射範囲や第１の反射プレート１０Ｂ１及び第２の反射プレート１０Ｂ２の設置角度に応じてＬＥＤ６による光ムラが透光板１１に生じた場合でも、作業者が第１の反射プレート１０Ｂ１及び第２の反射プレート１０Ｂ２を適宜回動してＬＥＤ６から出射された光９９ａ，９９ｂの反射角を調整することにより、透光板１１に生じる光ムラを軽減することができ、見栄えを向上させることができる。
【００４５】
ここで、照明ボックス７の高さが小さい場合には、照明ボックス７の開口が下方に開放されてＬＥＤ６からの光が下方に出射されると、この光が拡散するのに必要な距離を確保することができず、ＬＥＤ６による光ムラが透光板１１に生じ易くなるが、作業者が透光板１１を透過する光の加減に応じて第１の反射プレート１０Ｂ１及び第２の反射プレート１０Ｂ２を回動することにより、透光板１１に生じる光ムラを軽減することができ、見栄えを向上させることができる。
【００４６】
また、本発明の第１実施形態は、ＬＥＤ６の配線ケーブル６Ａは保持プレート１０Ａ１の面のうちＬＥＤ６を保持する面と反対側の面に布設され、ハンドレールガイド３の収容部３ａを使用しないので、ハンドレール４をハンドレールガイド３から取り外さなくてもＬＥＤ６の取付作業を実施することができる。これにより、ＬＥＤ６の取付作業に要する時間を短縮することができ、作業を効率良く進行することができる。
【００４７】
さらに、本発明の第１実施形態は、隣接するＬＥＤ６同士を接続するコネクタ１８が保持プレート１０Ａ１と照明ボックス７との隙間２０から保持プレート１０Ａ１の上方に収納されているので、コネクタ１８が取付部１０から垂れ下がることを防ぐことができる。これにより、ＬＥＤ６から出射された光がコネクタ１８に当たって透光板１１に光ムラが生じることを抑制することができる。
【００４８】
［第２実施形態］
図６は本発明に係るエスカレータの照明装置の第２実施形態の構成を示す図である。
【００４９】
本発明の第２実施形態が前述した第１実施形態と異なるのは、第１実施形態は、固定ベース１０Ａの保持プレート１０Ａ１及び支持プレート１０Ａ２が一枚の平板を折り曲げて形成されたのに対して、第２実施形態は、固定ベース１０Ａは、支持プレート１０Ａ２と保持プレート１０Ａ１との間に設けられ、支持プレート１０Ａ２に対して保持プレート１０Ａ１を回動させる回動部を含んでいることである。この回動部は、例えば蝶番１０Ｂ３，１０Ｂ４と同様に支持プレート１０Ａ２に対する保持プレート１０Ａ１の角度を保持する一対の蝶番１０Ｂ５から成り、これらの一対の蝶番１０Ｂ５は、取付部１０の長手方向の両側にそれぞれ配置されている。その他の構成は第１実施形態と同じである。
【００５０】
このように構成した本発明の第２実施形態によれば、上述した第１実施形態と同様の作用効果が得られる他、作業者が保持プレート１０Ａ１と支持プレート１０Ａ２との間の蝶番１０Ｂ５を介して保持プレート１０Ａ１を支持プレート１０Ａ２に対して回動することにより、支持プレート１０Ａ２に対する保持プレート１０Ａ１の角度を調整することができ、ＬＥＤ６による配光の自由度を高めることができる。
【００５１】
なお、上述した本実施形態は、本発明を分かり易く説明するために詳細に説明したものであり、必ずしも説明した全ての構成を備えるものに限定されるものではない。また、ある実施形態の構成の一部を他の実施形態の構成に置き換えることが可能であり、また、ある実施形態の構成に他の実施形態の構成を加えることも可能である。
【００５２】
また、本発明の第１、第２実施形態は、取付部１０をエスカレータ１の直線部分に配置した場合について詳細に説明したが、この場合に限らず、取付部１０の保持プレート１０Ａ１、支持プレート１０Ａ２、第１の反射プレート１０Ｂ１、及び第２の反射プレート１０Ｂ２を照明ボックス７の開口に対して奥側の面の形状に合わせて曲げ加工すれば、取付部１０をエスカレータ１の曲線部分にも配置することができ、上述したのと同様の作用効果を得ることができる。
【符号の説明】
【００５３】
１  エスカレータ
２  欄干
２ａ  スカートガード
２ｂ  欄干パネル
３  ハンドレールガイド
３ａ  収容部
３ｂ  貫通孔
４  ハンドレール
６  ＬＥＤ（照明灯）
６Ａ  配線ケーブル
７  照明ボックス
７ａ１，７ａ２  嵌合部
７ｂ  貫通孔
１０  取付部
１０Ａ  固定ベース
１０Ａ１  保持プレート
１０Ａ２  支持プレート
１０ａ  長孔
１０Ｂ  鏡面部
１０Ｂ１  第１の反射プレート
１０Ｂ２  第２の反射プレート
１０Ｂ３，１０Ｂ４，１０Ｂ５  蝶番
１１  透光板
１１Ａ  湾曲部
１１Ｂ１，１１Ｂ２  折り返し部
１５  ボルト
２０  隙間
５１ａ  収容部
５１ｂ  貫通孔
５６  蛍光管
５７  照明ボックス
５７ａ１，５７ａ２  嵌合部
５７ｂ  貫通孔
５８  取付部
５８ａ  ランプソケット
５８ｂ  ボルト
５９  透光板
５９Ａ  湾曲部
５９Ｂ１，５９Ｂ１  折り返し部
【図１】
2014237511.tif 000003
【図２】
2014237511.tif 000004
【図３】
2014237511.tif 000005
【図４】
2014237511.tif 000006
【図５】
2014237511.tif 000007
【図６】
2014237511.tif 000008
【図７】
2014237511.tif 000009